(57)【特許請求の範囲】
【請求項１】
ビデオプレーヤと、
前記ビデオプレーヤから送信されたレターボックス形式のＮＴＳＣ信号を受信して表示するモニタと、
を備え、
前記ビデオプレーヤは、
ビデオデータのアスペクト比が１６：９であることを検出する検出手段と、
前記ビデオデータをレターボックス形式のＮＴＳＣ信号として出力する場合に、垂直帰線区間の特定ラインにクローズドキャプション信号を付加するとともに、特定のダミーデータを設定する制御手段と、
を備え、
前記モニタは、
受信した前記ＮＴＳＣ信号の前記特定ラインにクローズドキャプション信号が付加されており、かつ、特定のダミーデータが設定されている場合に、前記レターボックス形式のＮＴＳＣ信号から主映像の部分を拡大表示する手段
を備えることを特徴とするビデオシステム。
【請求項２】
請求項１記載のビデオシステムにおいて、
前記特定のダミーデータは、スペースであることを特徴とするビデオシステム。
【発明の詳細な説明】
【技術分野】
【０００１】
本発明はビデオプレーヤ及びビデオシステムに関し、特に、航空機搭載に好適なビデオプレーヤ及びビデオシステムに関する。
【背景技術】
【０００２】
航空機では、乗客に対してより快適な旅を提供すべく映画やオーディオプログラムを提供している（いわゆるインフライトエンタテインメント）。航空機に搭載されるビデオプレーヤは、頑強、コンパクト、軽量、低電力消費、耐温度特性という航空機特有の性能が求められる。
【０００３】
近年では、インフライトエンタテインメントのデジタル化が進んでいるとはいえ、少なくない数の航空機において、ビデオプレーヤからアナログ映像信号を再生出力し、航空機内の各部に設置されたモニタに供給して映像及び音声を出力している場合がある。また、航空機内の複数のモニタも、アスペクト比１６：９のモニタのみならず、アスペクト比４：３のモニタが混在しているのが現状である。
【０００４】
他方、アスペクト比１６：９のワイド画面を有効利用するため、レターボックス形式の映像信号が知られている。このレターボックス形式は、アスペクト比４：３の伝送のうち、中央部分に絵柄を含んだ主映像をアスペクト比１６：９で形成し、上下に帯状に黒色の無画部を形成することで、ワイド画面に拡大表示したときに画像情報が切り取られないようにしたものである。このレターボックス形式に対応するモニタでは、映像信号がレターボックス形式である場合に、これを自動的に検出してワイド画面に拡大表示するため、レターボックス検出装置を搭載している。
【０００５】
特許文献１〜３には、アスペクト比が１６：９のワイドテレビ映像の上下に存在するレターボックス（黒帯）を輝度信号により検出し、レターボックスを検出した場合に、レターボックスを表示領域外に押し出すように主映像を拡大表示する技術が記載されている。
【０００６】
特許文献４には、レターボックスを表示しないように主映像を拡大表示するとともに、クローズドキャプション（字幕）情報が存在する場合に映像信号の拡大処理をしないようにすべく、クローズドキャプション情報を含むことがある水平ラインの期間は、レターボックス検出器をイネーブルしないようにする技術が記載されている。
【先行技術文献】
【特許文献】
【０００７】
【特許文献１】特開平０７−２６４５５４号公報
【特許文献２】特開平０９−１６３２６３号公報
【特許文献３】特開平１０−２３３９７６号公報
【特許文献４】特許第３５７６３８３号
【発明の概要】
【発明が解決しようとする課題】
【０００８】
従来技術では、輝度信号を監視することで映像信号におけるレターボックスを検出しているが、単に輝度信号のみではレターボックスと主映像の黒レベル信号を区別することができない問題がある。
【０００９】
レターボックスと主映像の黒レベル信号を区別するために、黒レベルの連続性を監視することでレターボックスの検出精度を向上させることも可能であるが、レターボックスにノイズが混入する等して連続性が必ずしも担保されない場合には問題となり得る。特に、航空機搭載を考慮すると、航空機内の特定の箇所に設置されたビデプレーヤからの映像信号を機内の複数箇所に設置されたモニタまで供給する関係上、映像信号にノイズが混入しやすい特質があり（例えば、機内前方にビデオプレーヤが設置されており、機内後部のモニタに映像信号を供給する場合等）、より簡易でありながら確実にレターボックスを検出できる技術が望まれている。
【００１０】
本発明の目的は、モニタ側で簡易かつ確実にレターボックス形式の信号であることを検出し得る映像信号を出力するビデオプレーヤ及びこれを備えたビデオシステムを提供することにある。
【課題を解決するための手段】
【００１３】
本発明のビデオシステムは、ビデオプレーヤと、前記ビデオプレーヤから送信されたレターボックス形式のＮＴＳＣ信号を受信して表示するモニタとを備え、前記ビデオプレーヤは、ビデオデータのアスペクト比が１６：９であることを検出する検出手段と、前記ビデオデータをレターボックス形式のＮＴＳＣ信号として出力する場合に、垂直帰線区間の特定ラインに含まれるクローズドキャプション信号を付加するとともに、特定のダミーデータを設定する制御手段とを備え、前記モニタは、受信した前記ＮＴＳＣ信号の前記特定ラインに含まれるクローズドキャプション信号が付加されており、かつ、特定のダミーデータが設定されている場合に、前記レターボックス形式のＮＴＳＣ信号から主映像の部分を拡大表示する手段を備えることを特徴とする。
【００１４】
本発明の１つの実施形態では、前記特定のダミーデータは、スペースであることを特徴とする。
【発明の効果】
【００１５】
本発明によれば、モニタ側で簡易かつ確実にレターボックス形式の信号であることを検出できる。これにより、アスペクト比１６：９に対応したモニタ側において、レターボックス形式の信号から主映像を拡大して表示できる。また、クローズドキャプション信号に応じて主映像を拡大表示する機能に対応していないモニタであっても、そのデータとしてダミーデータが設定されているため、不必要な文字データが意図せず表示されることもない。
【図面の簡単な説明】
【００１６】
【図１】実施形態の構成ブロック図である。
【図２】実施形態のビデオ／オーディオエンコーダの機能ブロック図である。
【図３】実施形態のシステム構成図である。
【図４】実施形態のクローズドキャプション信号の説明図である。
【図５】実施形態のシステムの処理フローチャートである。
【発明を実施するための形態】
【００１７】
以下、図面に基づき本発明の実施形態について、航空機搭載用のビデオプレーヤを例にとり説明する。なお、本発明は航空機搭載用に特に好適であるが、これ以外の用途にも適用可能であることは言うまでもない。
【００１８】
図１は、本実施形態におけるビデオプレーヤ１の構成ブロック図である。ビデオプレーヤ１は、メモリカードスロット１０，タッチパネルＬＣＤ１２，パワーＳＷＬＥＤ１４，メインＣＰＵボード１６，サブＣＰＵボード１８，ビデオエンコーダ２０，バックアップユニット２２，電源ユニット２４及び入出力インタフェース２６を備える。
【００１９】
メモリカードスロット１０は、ＳＤメモリカード等のフラッシュメモリを装着可能なスロットである。メモリカードスロット１０はメインＣＰＵボード１６に接続され、メインＣＰＵからアクセス可能である。
【００２０】
タッチパネルＬＣＤ１２は、ビデオプレーヤ１の正面に配置され、各種ボタンや映像／音声の再生状態あるいは一時停止状態、停止状態等を表示する。タッチパネルＬＣＤ１２はメインＣＰＵボード１６に接続され、メインＣＰＵによりその表示が制御される。
【００２１】
パワーＳＷ（スイッチ）ＬＥＤ１４は、ビデオプレーヤ１の電源オン／オフ状態や各種のステータスをＬＥＤの発光状態（オン／オフ／点滅／色変化／等）で表示する。
【００２２】
メインＣＰＵボード１６は、メインＣＰＵ及びメモリを備える回路基板であり、メインＣＰＵは、プログラムメモリに記憶された処理プログラムを実行することで各種機能を実現する。具体的には、メインＣＰＵは、メモリカードスロット１０に挿入されたＳＤメモリカード等にアクセスしてＳＤメモリカード等に記憶されたビデオデータを読み出し、デコードしてビデオエンコーダ２０に出力する。例えば、メインＣＰＵは、ＳＤメモリカードに記憶されたＳＤ−ＶｉｄｅｏフォーマットのＭＰＥＧ２あるいはＭＰＥＧ４で圧縮されたビデオデータを読み出してデコードする。また、メインＣＰＵは、ＳＤメモリカードから読み出したビデオデータが、アスペクト比１６：９のビデオデータであるか否かを検出し、検出信号をビデオエンコーダ２０に出力する。読み出したビデオデータが例えばＭＰＥＧ４である場合、ＭＰＥＧ４にはアスペクト比の情報が含まれているため、メインＣＰＵは、このアスペクト比情報を検出することでビデオデータのアスペクト比が１６：９であることを検出できる。ＭＰＥＧ２でも同様である。  
【００２３】
サブＣＰＵボード１８は、サブＣＰＵ及びメモリを備える回路基板であり、メインＣＰＵボード１６と協働して所定の処理を実行する。例えば、サブＣＰＵボード１８は、パワーＳＷＬＥＤ１４のオン／オフを制御したり、メインＣＰＵの状態を監視し、メインＣＰＵの異常を検出した場合に、メインＣＰＵボード１６の機能のうちビデオプレーヤ１の動作に最低限必要な機能を代替する。最低限必要な機能とは、例えば、タッチパネルＬＣＤ１２にシステムエラー発生のメッセージを表示したり、ビデオプレーヤ１を停止させるためのユーザ入力を受け付けて、動作を停止させたりシャットダウンしたりする機能である。
【００２４】
ビデオエンコーダ２０は、メインＣＰＵボード１６から供給されたビデオデータを入力し、これをアナログのＮＴＳＣ信号にエンコードして出力する。例えば、ビデオエンコーダ２０は、ＭＰＥＧ４のビデオデータをＮＴＳＣ信号にエンコードする。この際に、メインＣＰＵボード１６から検出信号を入力すると、ビデオエンコーダ２０は、アスペクト比１６：９の主映像の上下に黒帯を付加してアスペクト比４：３とするレターボックス形式のＮＴＳＣ信号にエンコードするとともに、クローズドキャプション信号を付加し、かつ、そのデータとして特定のダミーデータを設定する。
【００２５】
バックアップユニット２２は、大容量のコンデンサを複数個搭載する電源のバックアップユニットであり、電源ユニット２４への給電が停止したことを検知した場合に、メインＣＰＵへシャットダウンの指示を出すとともに、シャットダウン完了までの電源供給を行う。
【００２６】
電源ユニット２４は、ビデオプレーヤ１の各部に電力を供給する。図では、電源ユニット２４は、サブＣＰＵボード１８、バックアップユニット２２、及び入出力インタフェース２６に電力を供給しているが、これらに限定されない。
【００２７】
入出力インタフェース２６は、ビデオエンコーダ２０から出力されたＮＴＳＣ信号を後述する分配器３０を介して航空機の複数箇所に設置されたモニタに出力する。
【００２８】
図２は、ビデオエンコーダ２０の機能ブロック図である。ビデオエンコーダ２０は、ＮＴＳＣエンコーダ部２０１と、クローズドキャプション信号制御部２０２を備える。
【００２９】
ＮＴＳＣエンコーダ部２０１は、メインＣＰＵボード１６から供給されたビデオデータをＮＴＳＣ信号に変換して出力する。ビデオデータのアスペクト比が１６：９である場合、主映像の上下に黒帯の無画部を形成することでアスペクト比４：３のレターボックス形式のＮＴＳＣ信号に変換して出力する。なお、ビデオデータのアスペクト比が４：３である場合、そのアスペクト比をそのまま維持して（レターボックス形式とすることなく）ＮＴＳＣ信号に変換して出力する。
【００３０】
クローズドキャプション信号制御部２０２は、メインＣＰＵボード１６から検出信号、すなわちビデオ信号がアスペクト比１６：９であることを示す検出信号が供給された場合に、ＮＴＳＣ信号の所定ラインにクローズドキャプション信号を付加するように設定し、かつ、その文字情報としてダミーデータを付加するようにＮＴＳＣエンコーダ部２０１を制御する。
【００３１】
ＮＴＳＣ信号等のアナログ映像信号の先頭には、上部から下部まで画面を描画した電子ビームが次の画面を描画するため再び上部に戻るために必要な区間として垂直帰線区間が設定されており、ＮＴＳＣ信号の場合、走査線の１番目 (１Ｈ，２６３Ｈ) から２１番目 (２１Ｈ，２８４Ｈ) までが垂直帰線区間となっている。この部分に入った信号は特に描画されることはないため、制御用の信号やテスト信号、文字情報等が挿入される。具体的には、
１番目〜９番目：垂直同期信号
１０番目〜２１番目：テスト信号やそのほかの信号
１０番目〜１３番目：データ多重放送の領域
１４番目〜１６番目：文字多重放送の領域
１８番目：クリアビジョンにおけるＧＣＲ信号  
２０番目：コピー制御信号のＣＧＭＳーＡ
２１番目：クローズドキャプション（closed captioning）信号（字幕情報）
と規定される。クローズドキャプション信号は、必要に応じてその設定を有効（表示）あるいは無効（非表示）にできる。
【００３２】
クローズドキャプション信号制御部２０２は、メインＣＰＵから検出信号を入力すると、走査線の２１番目、すなわち２１Ｈ（ライン２１）と２８４Ｈ（ライン２８４）のクローズドキャプション信号を付加するように設定する。また、２バイトのＡＳＣＩＩコードに、いずれもダミーデータとしてスペースを設定する。なお、クローズドキャプション信号制御部２０２は、メインＣＰＵから検出信号を入力しない、つまり、ビデオデータのアスペクト比が１６：９でない場合には、クローズドキャプション信号を付加しない。
【００３３】
このように、垂直帰線区間の特定のラインで規定されるクローズドキャプション信号（字幕情報）を利用してビデオデータのアスペクト比が１６：９であるか否か、言い換えればレターボックス形式であるか否かを伝送することで、ＮＴＳＣ信号を受信したモニタ側で２１Ｈと２８４Ｈの信号を検出すればレターボックス形式の映像信号であることを容易に識別できる。
【００３４】
図３は、本実施形態のビデオプレーヤ１を用いたインフライトエンタテインメントシステムの構成図である。
【００３５】
システムは、ビデオプレーヤ１と、分配器３０と、複数のモニタ４０，４２，・・から構成される。
【００３６】
ビデオプレーヤ１は、アスペクト比１６：９のビデオデータをレターボックス形式のＮＴＳＣ信号１００に変換して出力する。
【００３７】
分配器３０は、ＮＴＳＣ信号１００を分配して航空機の複数箇所に設置されたモニタ４０，４２にＮＴＳＣ信号を分配する。
【００３８】
モニタ４０は、アスペクト比１６：９のモニタであり、ＮＴＳＣ信号の垂直帰線区間の２１Ｈと２８４Ｈの信号を検出し、字幕情報が付加されているか否かを検出するとともに、２バイトのデータがいずれもダミーデータ（スペース）に設定されているか否かを検出する。ＡＳＣＩＩコードにおけるスペース（空白）は「０ｘ２０」（１６進数）であるから、２バイトのデータがいずれも「０ｘ２０」であることを検出する。そして、字幕情報が付加されており、かつ、２バイトのデータがいずれもスペースに設定されていることを検出すると、受信したＮＴＳＣ信号がレターボックス形式であるとして、レターボックスを表示領域外に押し出すように主映像を拡大表示する。また、字幕情報が付加されていない場合、あるいは字幕情報が付加されていても２バイトのデータがいずれもスペースでない場合は、そのまま映像信号を表示する。従って、字幕情報が当初から存在していた場合、モニタ４０はその字幕情報をそのまま表示することができる。
【００３９】
本実施形態におけるモニタ４０は、通常の映像復調回路と、クローズドキャプション信号検出回路（クローズドキャプションデコーダ）と、ズーム回路を備える。映像復調回路は、ＮＴＳＣ信号から輝度信号成分（Ｙ）、２つの色信号成分（Ｉ，Ｑ）を復調する。クローズドキャプション信号検出回路は、垂直帰線区間の２１Ｈと２８４Ｈの信号を検出し、字幕情報が付加されているか否かを検出するとともに、２バイトのデータがいずれもダミーデータ（スペース）に設定されているか否かを検出する。ズーム回路は、クローズドキャプション信号検出回路で字幕情報が付加されており、かつ、２バイトのデータがいずれもスペースである場合に、主映像の部分をズームして表示する。主映像の部分は、例えば垂直方向に輝度レベルを検出し、有画部分と無画部分を識別することで抽出する。勿論、主映像を拡大する技術は公知であり、公知の任意の方法を用いることが可能である。本実施形態のモニタ４０は、クローズドキャプション信号を用いてレターボックス形式であるか否かを検出しているため、単に垂直方向の輝度レベルの変化を監視してレターボックス形式であるか否かを検出する場合に比べて、より簡易かつ確実に検出し得る。
【００４０】
モニタ４０において、クローズドキャプションデコーダ自体は公知である。本実施形態のモニタ４０は、公知のクローズドキャプションデコーダを用いてクローズキャプション信号を検出し、字幕情報がありそのデータが特定のダミーデータ（スペース）である場合に、これをトリガとして、ズーム回路を起動する点に特徴を有するといえる。
【００４１】
他方、モニタ４２は、アスペクト比４：３のモニタであり、ＮＴＳＣ信号の垂直帰線区間の２１Ｈと２８４Ｈの信号を検出し、字幕情報が付加されていることを検出すると、本来の機能に従い、当該字幕情報を表示する。但し、本実施形態では、字幕情報としてダミーデータ、すなわちスペースが設定されているため、モニタ４２に字幕情報が表示されることはない。字幕情報が当初から存在していた場合、モニタ４２はその字幕情報をそのまま表示するのはモニタ４２と同様である。また、字幕情報が付加されていない場合は、そのまま映像信号を表示する。
【００４２】
図４は、クローズドキャプション信号の具体例を示す。クローズドキャプション信号は、基準カラーバースト信号、クロック信号に続き、スタート信号、７ビット＋パリティビットからなる２バイトのデータ信号から構成される。それぞれのバイトのＤ０〜Ｄ６を「０ｘ２０」（スペース）に設定することで、ダミーデータとしてスペースを設定することができる。アスペクト比１６：９のモニタ４０では、このようなクローズドキャプション信号を検出することで主映像を拡大表示する。また、アスペクト比４：３のモニタ４２では、このクローズドキャプション信号を検出することでスペースの字幕を表示するため、結局いずれの場合も字幕は表示されないことになる。
【００４３】
図５は、本実施形態におけるビデオシステムでの処理フローチャートである。図５において、Ｓ１０１〜Ｓ１０５の処理はビデオプレーヤ１での処理であり、Ｓ１０５〜Ｓ１０８の処理はモニタ４０での処理である。
【００４４】
ビデオプレーヤ１では、まず、モニタ４０に送信し、モニタ４０で表示すべきビデオデータのアスペクト比が１６：９であるか否かを検出する（Ｓ１０１）。アスペクト比が１６：９である場合、次に、クローズドキャプション信号を付加し（Ｓ１０２）、かつ、クローズドキャプション信号のデータとしてスペースのダミーデータを設定する（Ｓ１０３）。具体的には、７ビットＡＳＣＩＩコードをいずれも「０ｘ２０」（スペース）に設定する。そして、ビデオデータをレターボックス形式のＮＴＳＣ信号にエンコードする（Ｓ１０４）。他方、アスペクト比が１６：９でない場合（アスペクト比が４：３の場合）、Ｓ１０２及びＳ１０３の処理をスキップして、レターボックス形式でないＮＴＳＣ信号にエンコードする（Ｓ１０４）。ビデオプレーヤ１は、ＮＴＳＣ信号を分配器３０経由でモニタ４０に送信する。
【００４５】
モニタ４０は、ＮＴＳＣ信号を受信すると、垂直帰線区間の２１Ｈ及び２８４Ｈにおけるクローズドキャプション信号が付加されているか否かを検出する（Ｓ１０５）。クローズドキャプション信号が付加されている場合、次に、その２バイトのデータがいずれもスペースに設定されているか否かを検出する（Ｓ１０６）。クローズドキャプション信号が付加されており、かつ、そのデータがいずれもスペースである場合、モニタ４０は受信したＮＴＳＣ信号がレターボックス形式であるとして、主映像部分を拡大表示する（Ｓ１０７）。従って、アスペクト比１６：９の元の映像がそのまま１６：９で表示される。他方、Ｓ１０５あるいはＳ１０６のいずれかでＮＯ，すなわち、クローズドキャプション信号が付加されていない、あるいはデータのいずれもスペースでない場合には、主映像部分を拡大表示することなくそのまま表示する（Ｓ１０８）。従って、レターボックス形式でない場合や、レターボックス形式であっても有意のデータ（字幕情報）が付加されている場合にはそのまま表示する。特に後者の場合、有意の字幕情報が存在している場合にはそのまま表示されるため、本来の字幕情報を損なうことがない。
【００４６】
なお、本実施形態では、モニタ４０において、クローズドキャプション信号が付加されており、かつ、２バイトのデータがいずれもダミーデータ（スペース）に設定されていることを検出した場合に主映像を拡大表示する機能を備えていることを前提としているが、仮に、モニタ４０において当該機能を備えていない場合でも、クローズドキャプション信号のダミーデータはスペースとなっているため、特定の文字が誤表示されることはない。つまり、単に字幕としてスペースが表示されるだけで、不要な文字が表示されることはない。本実施形態において、クローズドキャプション信号にダミーデータとしてスペースを付加する利点である。
【００４７】
このように、本実施形態では、ＮＴＳＣ信号の規格として既に存在しているクローズドキャプション信号を援用し、このクローズドキャプション信号を付加することで映像信号がレターボックス形式であることをモニタに伝送するので、たとえ航空機内のように相対的に長い伝送距離であり、かつ、種々のノイズが混入し易い環境下においても正確にモニタ側において映像を正しく表示できる。
【００４８】
以上、本発明の実施形態について説明したが、本発明はこれに限定されることなく種々の変形が可能である。
【００４９】
例えば、本実施形態では、ダミーデータとしてスペースを設定しているが、字幕として表示されても支障がないようなデータ（制御文字を含む）であればスペース以外にも使用し得る。
【００５０】
また、本実施形態では、メインＣＰＵボード１６のメインＣＰＵが、ビデオデータのアスペクト比が１６：９であるか否かを検出しているが、これに代えて、外部機器からビデオデータのアスペクト比が１６：９であることを示す信号を入力する、あるいはビデオプレーヤ１のユーザがタッチパネルＬＣＤ１２を操作してアスペクト比が１６：９であることを入力してもよく、この場合にもメインＣＰＵは入力信号を用いてビデオデータのアスペクト比が１６：９であることを検出し得る。なお、タッチパネルＬＣＤ１２に、「レターボックス形式に変換」等のメニューボタンを設け、このボタンを操作することでビデオデータをレターボックス形式のＮＴＳＣ信号にエンコードしてモニタに出力してもよい。この場合にも、当該メニューボタンの操作信号を用いて、メインＣＰＵはビデオデータがアスペクト比１６：９であることを検出し、これに基づいてレターボックス形式のＮＴＳＣ信号にエンコードするのと実質的に同一である。
【符号の説明】
【００５１】
１  ビデオプレーヤ、１０  メモリカードスロット、１２  タッチパネルＬＣＤ、１４  パワーＳＷＬＥＤ、１６  メインＣＰＵボード、１８  サブＣＰＵボード、２０  ビデオエンコーダ、２２  バックアップユニット、２４  電源ユニット、２６  入出力インタフェース。
【図１】
0006417805.tif 000002
【図２】
0006417805.tif 000003
【図３】
0006417805.tif 000004
【図４】
0006417805.tif 000005
【図５】
0006417805.tif 000006